(57)【要約】【課題】天井材が脱落するのを抑制することができる天井構造を提供する。【解決手段】天井構造１においては、建物の天井面材５０を支持する野縁４０と、前記野縁４０を支持する野縁受け３０と、前記建物の躯体と野縁受け３０との間に架設されると共に、野縁受け３０側の端部が野縁受け３０に固定された一対のブレース６０と、一対のブレース６０と野縁受け３０と前記天井面材５０とにそれぞれ固定される補強金具７０と、を具備する。【選択図】図７
2020165123.tif 000002
【特許請求の範囲】
【請求項１】
建物の天井材を支持する野縁と、
前記野縁を支持する野縁受け部材と、
前記建物の躯体と前記野縁受け部材との間に架設されると共に、前記野縁受け部材側の端部が前記野縁受け部材に固定された一対のブレースと、
前記一対のブレースと前記野縁受け部材と前記天井材とにそれぞれ固定される固定補強部材と、
を具備する天井構造。
【請求項２】
前記固定補強部材は、
前記一対のブレースの間を亘るように配置されると共に、前記一対のブレースのそれぞれと固定される、
請求項１に記載の天井構造。
【請求項３】
前記固定補強部材は、
前記野縁受け部材に上方から引っ掛けられる引っ掛け部を有する、
請求項１又は請求項２に記載の天井構造。
【請求項４】
前記固定補強部材は、
前記一対のブレースと前記野縁受け部材との間に配置され、互いに接触した状態で共締めされる共締め部を有する、
請求項１から請求項３までのいずれか一項に記載の天井構造。
【請求項５】
前記野縁受け部材を前記躯体に吊るための吊り部材を具備し、
固定補強部材は、
前記吊り部材に対応する位置で切り欠かれた切欠部を有する、
請求項１から請求項４までのいずれか一項に記載の天井構造。
【請求項６】
建物の天井構造に用いる固定補強部材であって、
前記建物の野縁に支持された天井材に固定される第一の固定部と、
前記野縁を支持する野縁受け部材と固定される第二の固定部と、
前記建物の躯体と前記野縁受け部材との間に架設されると共に、前記野縁受け部材側の端部が前記野縁受け部材に固定された一対のブレースと固定される第三の固定部と、
を具備する固定補強部材。
【発明の詳細な説明】
【技術分野】
【０００１】
本発明は、天井構造及び固定補強部材の技術に関する。
【背景技術】
【０００２】
従来、ブレースを具備する天井構造の技術は公知となっている。例えば、特許文献１に記載の如くである。
【０００３】
特許文献１には、天井材を支持する野縁と、前記野縁を支持する野縁受けと、前記野縁及び前記野縁受けに固定されるブレースと、が記載されている。ブレースは、野縁と野縁受けとが交差した領域に、ブレース下部取付具を介して取り付けられる。
【０００４】
このような構成により、野縁受け及び野縁とブレースとが強固に固定されるため、地震発生時における揺動応力（水平応力）を、野縁受け及び野縁からブレースへ直接的に伝達することができる。
【先行技術文献】
【特許文献】
【０００５】
【特許文献１】特開２０１５−７３２６号公報
【発明の概要】
【発明が解決しようとする課題】
【０００６】
しかしながら、特許文献１に記載の技術においては、地震発生時にはブレース下部取付具の周囲（ブレースの下端部の周囲）に応力が集中し易いため、この周囲に位置する野縁受け及び野縁の部分が変形や損傷（以下では単に「変形」と称する）する可能性がある。このように野縁受け及び野縁が変形した場合には、天井材が脱落する可能性がある。
【０００７】
本発明は、以上の如き状況を鑑みてなされたものであり、その解決しようとする課題は、天井材が脱落するのを抑制することができる天井構造を提供するものである。
【課題を解決するための手段】
【０００８】
本発明の解決しようとする課題は以上の如くであり、次にこの課題を解決するための手段を説明する。
【０００９】
即ち、請求項１においては、建物の天井材を支持する野縁と、前記野縁を支持する野縁受け部材と、前記建物の躯体と前記野縁受け部材との間に架設されると共に、前記野縁受け部材側の端部が前記野縁受け部材に固定された一対のブレースと、前記一対のブレースと前記野縁受け部材と前記天井材とにそれぞれ固定される固定補強部材と、を具備するものである。
【００１０】
請求項２においては、前記固定補強部材は、前記一対のブレースの間を亘るように配置されると共に、前記一対のブレースのそれぞれと固定されるものである。
【００１１】
請求項３においては、前記固定補強部材は、前記野縁受け部材に上方から引っ掛けられる引っ掛け部を有するものである。
【００１２】
請求項４においては、前記固定補強部材は、前記一対のブレースと前記野縁受け部材との間に配置され、互いに接触した状態で共締めされる共締め部を有するものである。
【００１３】
請求項５においては、前記野縁受け部材を前記躯体に吊るための吊り部材を具備し、固定補強部材は、前記吊り部材に対応する位置で切り欠かれた切欠部を有するものである。
【００１４】
請求項６においては、建物の天井構造に用いる固定補強部材であって、前記建物の野縁に支持された天井材に固定される第一の固定部と、前記野縁を支持する野縁受け部材と固定される第二の固定部と、前記建物の躯体と前記野縁受け部材との間に架設されると共に、前記野縁受け部材側の端部が前記野縁受け部材に固定された一対のブレースと固定される第三の固定部と、を具備するものである。
【発明の効果】
【００１５】
本発明の効果として、以下に示すような効果を奏する。
【００１６】
請求項１においては、天井材が脱落するのを抑制することができる。
【００１７】
請求項２においては、天井材が脱落するのを抑制することができる。
【００１８】
請求項３においては、天井材が脱落するのを抑制することができる。
【００１９】
請求項４においては、天井材が脱落するのを抑制することができる。
【００２０】
請求項５においては、天井材が脱落するのを抑制することができる。
【００２１】
請求項６においては、天井材が脱落するのを抑制することができる。
【図面の簡単な説明】
【００２２】
【図１】本発明の一実施形態に係る天井構造を示した概略斜視図。
【図２】補強金具の斜視図。
【図３】（ａ）補強金具の正面図。（ｂ）同じく、右側面図。
【図４】補強金具の取り付け態様を示した斜視図。
【図５】同じく、正面図。
【図６】同じく、背面図。
【図７】Ａ−Ａ矢視断面図。
【図８】本発明の第二実施形態に係る天井構造を示した概略斜視図。
【発明を実施するための形態】
【００２３】
以下の説明においては、図中に示した矢印に従って、上下方向、左右方向及び前後方向をそれぞれ定義する。
【００２４】
以下では、図１を用いて、一実施形態に係る天井構造１について説明する。
【００２５】
天井構造１は、鉄骨造の建物Ｈにおける天井の構造である。なお、図１においては、便宜上、建物Ｈにおける天井の構造全体のうち一部が示されている。以下では、図１に示された天井構造１、すなわち天井の構造全体のうち一部について説明するものとする。天井構造１は、吊りボルト１０、ハンガー２０、野縁受け３０、野縁４０、天井面材５０、ブレース６０及び補強金具７０を具備する。
【００２６】
吊りボルト１０は、建物Ｈの躯体Ａから吊り下げられるものである。吊りボルト１０は、躯体Ａに設けられたインサート（不図示）に取り付けられている。吊りボルト１０は、複数設けられる。図１においては、３本の吊りボルト１０が示されている。
【００２７】
ハンガー２０は、後述する野縁受け３０を支持するものである。ハンガー２０は、各吊りボルト１０の下端部に取り付けられる。
【００２８】
野縁受け３０は、後述する野縁４０を支持するものである。野縁受け３０は、長尺状に形成され、長手方向を左右方向に向けて配置される。野縁受け３０は、ハンガー２０に支持される。こうして、野縁受け３０は、ハンガー２０及び吊りボルト１０を介して建物Ｈの躯体Ａから吊設される。野縁受け３０は、複数設けられる。図１においては、３本の野縁受け３０が示されている。
【００２９】
野縁４０は、後述する天井面材５０を支持するのものである。野縁４０は、長尺状に形成され、長手方向を前後方向に向けて配置される。野縁４０は、クリップ部材４１を用いて野縁受け３０に支持される。野縁４０は、複数設けられる。図１においては、２本の野縁４０が示されている。
【００３０】
天井面材５０は、天井面を構成するものである。天井面材５０は、例えば板状の石膏ボードにより形成される。天井面材５０は、板面を上下方向に向けて配置される。天井面材５０は、野縁４０の下側面にビスを用いて固定される。
【００３１】
ブレース６０は、建物Ｈの躯体Ａと野縁受け３０との間に架設されるものである。ブレース６０は、長尺状に形成され、長手方向を鉛直方向に対して傾斜した姿勢で配置される。ブレース６０の上端部は、建物Ｈの躯体Ａに固定される。ブレース６０の下端部は、ボルトＢにより野縁受け３０に固定される（図４参照）。ブレース６０は、長手方向断面視で略Ｃ字状に形成される。本実施形態において、ブレース６０は、前側が開放し、後側が閉鎖面となるように配置される。図１においては、左右に並設される一対のブレース６０が示されている。
【００３２】
一対のブレース６０は、左右方向に対称形状に形成される。より詳細には、一対のブレース６０のうち、左側に配置されるブレース６０（以下では「左側ブレース６０Ｌ」と称する場合がある）は、上側が左方に位置し、下側が右方に位置するように配置される。また、一対のブレース６０のうち、右側に配置されるブレース６０（以下では「右側ブレース６０Ｒ」と称する場合がある）は、上側が右方に位置し、下側が左方に位置するように配置される。左側ブレース６０Ｌ及び右側ブレース６０Ｒは、正面視で吊りボルト１０を中心とした対称形状に形成される。左側ブレース６０Ｌ及び右側ブレース６０Ｒは、それぞれ下端部側へ行くに従って互いに近接するように配置される。
【００３３】
以下では、図１から図３を用いて、補強金具７０の構成について詳細に説明する。
【００３４】
図１から図３に示す補強金具７０は、後述するように、左側ブレース６０Ｌ及び右側ブレース６０Ｒと野縁受け３０と天井面材５０とにそれぞれ固定される部材である。補強金具７０は、一枚の平板状の金属製部材が、適宜折り曲げられることにより形成される。補強金具７０は、本体部７１、引っ掛け部７２、切欠部７３及び延出部７４を具備する。
【００３５】
本体部７１は、補強金具７０の主たる構造体である。本体部７１は、平板状に形成される。本体部７１は、板面を前後方向に向けて形成される。本体部７１の右上端部及び左上端部は、それぞれ正面視で略矩形状に切り欠かれたように形成される。こうして、本体部７１の下部は、本体部７１の上部よりも左右方向の長さが長くなるように形成される。なお以下では、本体部７１の下部（左右方向の長さが上部よりも長い部分）を「本体下部７６」、本体部７１の上部を「本体上部７５」と称する場合がある。本体下部７６は、後述する切欠部７３により左右に分割される。なお以下では、本体下部７６のうち、右側に分割された部分を「本体右下部７６Ｒ」、左側に分割された部分を「本体左下部７６Ｌ」と称する場合がある。本体上部７５の上端部は、後方へ折り曲げられたリブ状に形成される。
【００３６】
引っ掛け部７２は、野縁受け３０の上端部に引っ掛けられる部分である。引っ掛け部７２は、板面を上下方向へ向けて形成される。引っ掛け部７２は、本体下部７６の左上端部及び右上端部からそれぞれ後方へ突出するように形成される。引っ掛け部７２の前端部は、本体下部７６の右上端部及び左上端部にそれぞれ接続される。
【００３７】
切欠部７３は、本体部７１が切り欠かれたように形成される部分である。切欠部７３は、本体部７１の左右中央部において、下方から上方へ延びるように形成される。切欠部７３の上端部は、本体下部７６よりも高い位置に形成される。すなわち、切欠部７３は、本体下部７６を上下方向に縦断するように形成される。こうして、切欠部７３により、本体下部７６は、左右（本体右下部７６Ｒ及び本体左下部７６Ｌ）に分割されている。切欠部７３は、正面視で、下方が開放された略矩形状に形成される。切欠部７３は、ハンガー２０に対応するように形成される。具体的には、正面視において、切欠部７３の大きさ（左右方向幅及び上下方向幅）は、ハンガー２０よりも大きく形成される。
【００３８】
延出部７４は、本体部７１から前方へ延出するように形成された部分である。延出部７４は、平板状に形成される。延出部７４は、板面を上下方向へ向けて形成される。延出部７４の後端部は、本体部７１（本体下部７６）の下端部と接続される。延出部７４は、本体下部７６の本体右下部７６Ｒと接続される右側延出部７４Ｒと、本体左下部７６Ｌに接続される左側延出部７４Ｌと、により形成される。右側延出部７４Ｒ及び左側延出部７４Ｌは、左右方向に間隔をあけて形成される。右側延出部７４Ｒ及び左側延出部７４Ｌの左右方向の間隔は、切欠部７３の左右方向幅と同一に形成される。
【００３９】
以下では、図４から図７を用いて、天井構造１における補強金具７０の取り付け態様について説明する。
【００４０】
まず、補強金具７０と野縁受け３０との互いの位置関係について説明する。
【００４１】
補強金具７０は、野縁受け３０の概ね前方に配置される。具体的には、補強金具７０の本体部７１（より詳細には、本体下部７６）は、野縁受け３０の前方で、当該野縁受け３０と前後方向に対向する位置に配置される。本体下部７６は、野縁受け３０の前面と接触される。また、補強金具７０の引っ掛け部７２は、野縁受け３０の上方で、当該野縁受け３０と上下方向に対向する位置に配置される。引っ掛け部７２は、野縁受け３０の上面に上方から接触される。こうして、引っ掛け部７２は、野縁受け３０の上端部に引っ掛けられる。
【００４２】
また、補強金具７０の切欠部７３は、野縁受け３０を支持するハンガー２０と対応する位置に設けられる。具体的には、切欠部７３は、正面視で、ハンガー２０が当該切欠部７３の内側に設けられる位置に配置される。なお、図４に示すように、ハンガー２０は、前後方向位置において、切欠部７３の前方に配置される。こうして、ハンガー２０を吊り下げている吊りボルト１０は、本体部７１と接触しないように、当該本体部７１（本体上部７５）の前方に配置される。また、補強金具７０の左右方には、野縁受け３０に支持されるクリップ部材４１が配置される。
【００４３】
次に、補強金具７０と一対のブレース６０との互いの位置関係について説明する。
【００４４】
補強金具７０は、一対のブレース６０の概ね後方に配置される。具体的には、補強金具７０の本体部７１（本体下部７６）が、一対のブレース６０の下端部の後方で、当該一対のブレース６０の下端部と前後方向に対向する位置に配置される。なお、上述の如く、本体下部７６の後方には、野縁受け３０が配置される。すなわち、本体下部７６は、正面視で、一対のブレース６０の下端部と野縁受け３０と重複するように配置される。また、本体下部７６は、左右方向に延びるように形成され、正面視で一対のブレース６０の間に亘るように設けられる。本体下部７６は、一対のブレース６０の下端部の前面と接触される。具体的には、本体下部７６の本体右下部７６Ｒは、一対のブレース６０のうち右側ブレース６０Ｒの前面と接触される。また、本体下部７６の本体左下部７６Ｌには、一対のブレース６０のうち左側ブレース６０Ｌの前面と接触される。
【００４５】
また、補強金具７０の本体部７１のうち本体上部７５が、一対のブレース６０の後方で、当該一対のブレース６０の下端部よりも上方の部分と前後方向に対向する位置に配置される。なお以下では、前記ブレース６０の下端部よりも上方の部分（すなわち、本体上部７５と上下方向位置が同一の部分）を便宜上「ブレース６０の下端部近傍」と称する場合がある。本体上部７５は、左右方向に延びるように形成され、正面視で一対のブレース６０の間に亘るように設けられる。本体上部７５は、一対のブレース６０の下端部近傍の前面と接触される。
【００４６】
次に、補強金具７０と天井面材５０との互いの位置関係について説明する。
【００４７】
補強金具７０は、天井面材５０の上方に配置される。具体的には、補強金具７０の延出部７４（右側延出部７４Ｒ及び左側延出部７４Ｌ）が天井面材５０の上方で、当該天井面材５０と上下方向に対向する位置に配置される。右側延出部７４Ｒ及び左側延出部７４Ｌは、野縁４０の下面と同一水平面上に位置するように配置される。こうして、右側延出部７４Ｒ及び左側延出部７４Ｌは、天井面材５０の上面と接触される。
【００４８】
上述の如く配置された補強金具７０は、左側ブレース６０Ｌ及び右側ブレース６０Ｒと野縁受け３０と天井面材５０と、ビスやボルト等（固定手段）を用いてそれぞれ固定される。
【００４９】
以下では、補強金具７０と、左側ブレース６０Ｌ及び右側ブレース６０Ｒと野縁受け３０と天井面材５０と、の固定態様について説明する。
【００５０】
なお、本実施形態においては、補強金具７０の右側半分と左側半分とにおける固定態様は、左右方向に対称であることを除いて略同様である。そこで以下では、補強金具７０の右側半分について着目して説明を行うものとし、左側半分については適宜説明を省略する。
【００５１】
補強金具７０の本体部７１のうち、本体上部７５は、右側ブレース６０Ｒの下端部近傍と複数（本実施形態においては、２つ）のビス（以下では「ビスＳ１」と称する）を用いて固定される。２つのビスＳ１は、前方から後方（横方向）へ挿通される。２つのうち一方のビスＳ１は、正面視で本体上部７５の右上端部と重複するように設けられる。また、他方のビスＳ１は、前記一方のビスＳ１の左下方に離間して設けられる。
【００５２】
また、本体部７１のうち、本体下部７６（すなわち、正面視で、右側ブレース６０Ｒの下端部と野縁受け３０と重複するように配置された部分）は、右側ブレース６０Ｒの下端部及び野縁受け３０と複数（本実施形態においては、２つ）のボルト（以下では「ボルトＢ」と称する）を用いて固定される。すなわち、本体下部７６は、右側ブレース６０Ｒの下端部と野縁受け３０と共締めされる。２つのボルトＢは、前方から後方（横方向）へ挿通される。２つのうち一方のボルトＢは、正面視で本体下部７６の上端部と重複するように設けられる。また、他方のボルトＢは、前記一方のボルトＢの左下方に離間して設けられる。他方のボルトＢは、正面視で本体下部７６の下端部と重複するように設けられる。
【００５３】
また、本体部７１のうち、右側延出部７４Ｒは、天井面材５０と複数（本実施形態においては、６つ）のビス（以下では「ビスＳ２」と称する）を用いて固定される。６つのビスＳ２は、下方から上方へ挿通される。６つのビスＳ２は、左右方向に並ぶ列が２列となるように、前後方向及び左右方向に互いに適宜の間隔をあけて配置される。
【００５４】
以下では、天井構造１における作用効果について説明する。
【００５５】
補強金具７０は、本体上部７５において横方向に挿通されたビスＳ１を用いて一対のブレース６０（右側ブレース６０Ｒ及び左側ブレース６０Ｌ）の下端部近傍と固定される。また、補強金具７０は、本体下部７６において横方向に挿通されたボルトＢを用いて、一対のブレース６０（右側ブレース６０Ｒ及び左側ブレース６０Ｌ）の下端部及び野縁受け３０と固定される。こうして、地震発生時において、例えば一対のブレース６０のうち一方のブレース６０に長手方向一方への力が作用し、他方のブレース６０に長手方向他方への力が作用した場合等のように、野縁受け３０に対して、大きなせん断力が作用した場合であっても、野縁受け３０の変形が抑制され、当該野縁受け３０、補強金具７０及び天井面材５０の間の応力伝達をより確実に行うことができる。
【００５６】
また、上述の如き補強金具７０により、例えば地震発生時に天井面材５０が野縁受け３０の長手方向（左右方向）に揺れた場合、当該天井面材５０に生じる水平力を補強金具７０によって効果的に野縁受け３０に伝達し、ひいては一対のブレース６０に効果的に伝達することができる。こうして、天井構造１においては、当該天井構造１を構成する上記各種の部材を一体的に変位させることができ、例えば建物Ｈの壁部等に衝突するのを抑制し、当該衝突により天井面材５０が脱落するのを抑制することができる。
【００５７】
また、一対のブレース６０と天井面材５０とが、野縁受け３０及び野縁４０を介して固定されるだけでなく、野縁受け３０及び補強金具７０（より詳細には、延出部７４）を介して固定される。こうして、一対のブレース６０と天井面材５０との間において応力が集中するのを抑制することができる。こうして、応力の集中による上記各種の部材（例えば、野縁受け３０）が変形するのを抑制することができ、当該変形により天井面材５０が脱落するのを抑制することができる。
【００５８】
以上のように、一実施形態に係る天井構造１においては、
建物Ｈの天井面材５０（天井材）を支持する野縁４０と、
前記野縁４０を支持する野縁受け３０（野縁受け部材）と、
前記建物Ｈの躯体Ａと前記野縁受け３０（野縁受け部材）との間に架設されると共に、前記野縁受け３０（野縁受け部材）側の端部が前記野縁受け３０（野縁受け部材）に固定された一対のブレース６０と、
前記一対のブレース６０と前記野縁受け３０（野縁受け部材）と前記天井面材５０（天井材）とにそれぞれ固定される補強金具７０（固定補強部材）と、
を具備するものである。
【００５９】
また、一実施形態に係る補強金具７０においては、
建物Ｈの天井構造１に用いる補強金具７０（固定補強部材）であって、
前記建物Ｈの野縁４０に支持された天井面材５０（天井材）に固定される延出部７４（第一の固定部）と、
前記野縁４０を支持する野縁受け３０（野縁受け部材）と固定される本体下部７６（第二の固定部）と、
前記建物Ｈの躯体Ａと前記野縁受け３０（野縁受け部材）との間に架設されると共に、前記野縁受け３０（野縁受け部材）側の端部が前記野縁受け３０（野縁受け部材）に固定された一対のブレース６０と固定される本体上部７５及び本体下部７６（第三の固定部）と、
を具備するものである。
【００６０】
このような構成により、天井面材５０が脱落するのを抑制することができる。
具体的には、一対のブレース６０と天井面材５０とが、野縁受け３０及び野縁４０を介して固定されるだけでなく、野縁受け３０及び補強金具７０を介して固定される。こうして、一対のブレース６０と天井面材５０との間において応力が集中するのを抑制することができる。したがって、応力の集中による上記各種の部材（例えば、野縁受け３０）が変形するのを抑制することができ、当該変形により天井面材５０が脱落するのを抑制することができる。
【００６１】
また、天井構造１において、
前記補強金具７０（固定補強部材）は、
前記一対のブレース６０の間を亘るように配置されると共に、前記一対のブレース６０のそれぞれと固定されるものである。
【００６２】
このような構成により、例えば一対のブレース６０のうち一方のブレース６０に長手方向一方への力が作用し、他方のブレース６０長手方向他方の力が作用した場合であっても、野縁受け３０が変形するのを抑制することができる。こうして、野縁受け３０の変形により天井面材５０が脱落するのを抑制することができる。
【００６３】
また、天井構造１において、
前記補強金具７０（固定補強部材）は、
前記野縁受け３０に上方から引っ掛けられる引っ掛け部７２を有するものである。
【００６４】
このような構成により、補強金具７０と野縁受け３０とを前後方向に重ねるように設けるだけでなく、引っ掛け部７２により上下方向に重ねるように設けることができるため、例えば地震発生時に天井面材５０が揺れた場合、当該天井面材５０に生じる力を補強金具７０によって効果的に野縁受け３０に伝達し、ひいては一対のブレース６０に効果的に伝達することができる。こうして、天井構造１においては、当該天井構造１を構成する上記各種の部材を一体的に変位させることができ、例えば建物Ｈの壁部等に衝突するのを抑制し、当該衝突により天井面材５０が脱落するのを抑制することができる。
【００６５】
また、天井構造１において、
前記補強金具７０（固定補強部材）は、
前記一対のブレース６０と前記野縁受け３０（野縁受け部材）との間に配置され、互いに接触した状態で共締めされる本体部７１（共締め部）を有するものである。
【００６６】
このような構成により、例えば地震発生時に天井面材５０が野縁受け３０の長手方向（左右方向）に揺れた場合、当該天井面材５０に生じる水平力を補強金具７０によって効果的に野縁受け３０に伝達し、ひいては一対のブレース６０に効果的に伝達することができる。こうして、天井構造１においては、当該天井構造１を構成する上記各種の部材を一体的に変位させることができ、例えば建物Ｈの壁部等に衝突するのを抑制し、当該衝突により天井面材５０が脱落するのを抑制することができる。
【００６７】
また、天井構造１において、
前記野縁受け３０（野縁受け部材）を前記躯体Ａに吊るためのハンガー２０（吊り部材）を具備し、
補強金具７０（固定補強部材）は、
前記ハンガー２０（吊り部材）に対応する位置で切り欠かれた切欠部７３を有するものである。
【００６８】
このような構成により、例えば地震発生時に天井面材５０が野縁受け３０の長手方向（左右方向）に揺れた場合であって、当該天井面材５０に生じる水平力が補強金具７０に伝達された場合であっても、当該補強金具７０とハンガー２０とが接触するのを抑制することができる。こうして、ハンガー２０が変形されるのを抑制し、当該変形により天井面材５０が脱落するのを抑制することができる。
【００６９】
なお、補強金具７０は、補強部材の実施の一形態である。
また、野縁受け３０は、野縁受け部材の実施の一形態である。
また、本体部７１は、共締め部の実施の一形態である。
また、ハンガー２０は、吊り部材の実施の一形態である。
また、延出部７４は、第一の固定部の実施の一形態である。
また、本体部７１の本体下部７６は、第二の固定部の実施の一形態である。
また、本体部７１の本体上部７５及び本体下部７６は、第三の固定部の実施の一形態である。
【００７０】
以上、一実施形態を説明したが、本発明は上記構成に限定されるものではなく、特許請求の範囲に記載された発明の範囲内で種々の変更が可能である。
【００７１】
例えば、本実施形態において、野縁４０は、シングル野縁であるものとしたが、シングル野縁よりも横幅が大きなダブル野縁であってもよい。
【００７２】
また、補強金具７０の構成は、本実施形態に係るものに限定されない。例えば、補強金具７０の大きさ及び形状は、適宜変更可能である。また、補強金具７０は、一枚の平板状の金属製部材が適宜折り曲げられることにより形成されるものとしたが、これに限らない。また、本体部７１の上端部にリブ状の部分を形成しなくてもよい。また、引っ掛け部７２はその一部又は全部が、当初、本体部７１と同様に板面を前後方向（横方向）へ向けて形成されており、取り付け作業を行う際に、作業者により折り曲げられるものであってもよい。
【００７３】
また、補強金具７０は、例えば地震発生時において、一対のブレース６０のうち一方のブレース６０に長手方向一方への力が作用し、他方のブレース６０に長手方向他方への力が作用した場合、所定の大きさ以上の力が作用すると、適宜変形するようなものであってもよい。これにより、地震の衝撃を柔軟に吸収することができる。また、補強金具７０においては、天井面材５０と固定される延出部７４が左右に分割されている。こうして、地震発生時において天井面材５０が揺れた場合であって、過剰な力が補強金具７０にかかった場合には、当該延出部７４を変形させることができ、ひいては地震の衝撃を柔軟に吸収することができる。
【００７４】
以下では、図８を用いて、第二実施形態に係る天井構造１０１について説明する。
【００７５】
第二実施形態に係る天井構造１０１においては、第一実施形態に係る天井構造１において、野縁受け３０にブレース６０及び補強金具７０が取り付けられていたのに対し、野縁受け継ぎ部材１３０に、ブレース６０及び補強金具７０が取り付けられる点で、当該第一実施形態と異なる。
【００７６】
野縁受け継ぎ部材１３０は、長尺状の部材である。野縁受け継ぎ部材１３０は、複数（本実施形態においては、３本）の野縁受け３０の上方で、当該野縁受け３０の長手方向に対して直交する方向へ長手方向を向けて配置される。野縁受け継ぎ部材１３０は、３本の野縁受け３０に亘るように設けられると共に、これらの野縁受け３０と固定される。
【００７７】
補強金具７０は、第一実施形態に係る天井構造１の野縁受け３０に対する取り付け態様と同様の態様で取り付けられる。
【００７８】
なお、野縁受け継ぎ部材１３０は、野縁受け部材の実施の一形態である。
【符号の説明】
【００７９】
１    天井構造
３０  野縁受け
４０  野縁
５０  天井面材
６０  ブレース
７０  補強金具
【図１】
2020165123.tif 000003
【図２】
2020165123.tif 000004
【図３】
2020165123.tif 000005
【図４】
2020165123.tif 000006
【図５】
2020165123.tif 000007
【図６】
2020165123.tif 000008
【図７】
2020165123.tif 000009
【図８】
2020165123.tif 000010